(57)【特許請求の範囲】
【請求項１】
弁室に１つの流入口と複数の流出口とが設けられ、前記複数の流出口の夫々に、前記弁室内に位置して前記流出口を通流可能な開状態と通流不能な閉状態とに切替自在な弁体が設けられ、
前記複数の弁体のうち１つの前記弁体が前記流出口を開状態とし、他の前記弁体が前記流出口を閉状態とするように、前記各弁体を移動させるためのカム部を前記各弁体の夫々に対応して備えた軸部材からなる移動操作手段と、
筒状に形成され、前記軸部材の回動に応じて回転し、前記移動操作手段により開状態となった前記流出口を示す流出口情報を表示するための回転表示手段と、を備えた流路切換装置であって、
前記回転表示手段の回転軸が、前記軸部材の軸心に対して直交するとともに、
前記回転表示手段が、鉛直方向に見て前記軸部材と一部重複するように配置される流路切換装置。
【請求項２】
前記回転表示手段が、回転軸に沿って前記軸部材から離間するにしたがって径が小さくなる円錐台形状に形成される請求項１に記載の流路切換装置。
【請求項３】
前記軸部材が、前記回転表示手段に対して突出する突起部を備え、
前記回転表示手段が、前記突起部が挿入される溝部を備え、
前記溝部が、前記軸部材の回動に応じて前記突起部と前記溝部との当接位置が変化することで、前記回転表示手段を回転させるように形成される請求項１または２に記載の流路切換装置。
【請求項４】
前記回転表示手段が、
前記回転軸方向に見て前記回転軸周りで、大径の円錐台形状を前記回転軸に沿った平面で切った形状の大径部と、前記大径部よりも小径の円錐台形状を前記回転軸に沿った平面で切った形状の小径部と、が組み合わされた本体部を備え、
前記大径部の外周面が前記流出口情報の表示に用いられる請求項１〜３の何れか一項に記載の流路切換装置。
【請求項５】
前記軸部材の両端に、コの字型形状の把持部が一体的に回動するように連結され、
前記回転表示手段が、前記把持部の中空部に配置される請求項１〜４の何れか一項に記載の流路切換装置。
【請求項６】
請求項１〜５の何れか一項に記載の流路切換装置を備える浄水器であって、
前記複数の流出口が、浄化部を通流して浄化された浄水を流出する浄水流出口と、原水を浄化することなく外部へ直流状で流出する原水流出口と、原水を浄化することなくシャワー状で流出するシャワー流出口とに連通接続されている浄水器。
【発明の詳細な説明】
【技術分野】
【０００１】
本発明は、弁室に１つの流入口と複数の流出口とが設けられ、前記複数の流出口の夫々に、前記弁室内に位置して前記流出口を通流可能な開状態と通流不能な閉状態とに切替自在な弁体が設けられ、前記複数の弁体のうち１つの前記弁体が前記流出口を開状態とし、他の前記弁体が前記流出口を閉状態とするように、前記各弁体を移動させるためのカム部を前記各弁体の夫々に対応して備えた軸部材からなる移動操作手段と、筒状に形成され、前記軸部材の回動に応じて回転し、前記移動操作手段により開状態となった前記流出口を示す流出口情報を表示するための回転表示手段と、を備えた流路切換装置及び浄水器に関する。
【背景技術】
【０００２】
従来、この種の流路切換装置を備えた浄水器として、特許文献１や特許文献２に開示されているように、水道の蛇口に取り付け、水道から供給される原水が内部を通流するときの流路を切り換えるように構成されたものが知られている。より詳しくは、浄水器は流路を切り換えることで、原水を濾過部を通流させ浄水として吐出する状態、原水をそのまま吐出する状態、及び原水をシャワー状にして吐出する状態の３つの状態に切り換え可能に構成される。
【０００３】
このような流路切換装置の構造としては、レバーが弁体を駆動する部材と連結され、レバーを回動操作することにより、流路を切り換える方式が一般的である。この方式におけるレバーの一例が、特許文献１の図１の符号１３や特許文献２の図３の符号１５Ｂに示されている。このレバーは、水道の蛇口と連結された状態の浄水器を正面から見て、浄水器の横方向端部に設けられ、利用者が手前側または奥側に倒すことで回動操作できるように構成される。
【０００４】
また、特許文献１では、レバーの軸部には切替状態を示す文字を印刷した回転表示手段が固定されており、利用者は、浄水器本体に刻設した目印に文字を合わせることによって、流路の切り換えを行うとともに選択流路を確認できるようになっている。また、特許文献２では、レバーの根元に固定された回転表示手段の一部を浄水器本体のレバー近傍上面に設けた小窓から見えるようにし、選択流路を確認できるようにしたものもある。
【０００５】
また、レバー周りの構造としては、特許文献３に示すように、利用者が選択流路を一目見ただけで容易に判別できるように、浄水器の正面に回転表示手段を確認するための小窓を設けた構成がある。この構成においては、回転表示手段を支える軸が横方向に沿う状態で設けられ、当該軸と平行に別の操作用軸が設けられる。この操作用軸は、回転表示手段の軸と連動して回転するように設けられ、その両端に両端支持型のレバーが設けられている。このような構成により、レバーによる回動操作で回転表示手段が回転する。
【先行技術文献】
【特許文献】
【０００６】
【特許文献１】特開平０７−１１６６５７号公報
【特許文献２】特開２００４−３４６９６４号公報
【特許文献３】特開２０１３−１５４３３４号公報
【発明の概要】
【発明が解決しようとする課題】
【０００７】
特許文献１及び２の流路切換装置においては、回転表示手段がレバーの根元に固定されることから、回転表示手段を徒に大きくすることはできず、表示される文字を大きくすることができない。すなわち、回転表示手段の視認性に改善の余地がある。また、利用者が前方から手を伸ばしてレバーを操作する際には、レバーを操作する手によって回転表示手段が見え難くなり、選択流路を確認するにあたり視点を移して覗き込む必要が生じる可能性があり、視認性の点で改善の余地がある。
【０００８】
また、特許文献３に開示の流路切換装置の構造は、弁体を駆動するための部材としてのカム部を備えた弁軸と回転表示手段を支える軸とが、平行に設けられ、複数の平歯車を介して連動して回転するように構成されている。このため、少なくとも弁軸と回転表示手段を支える軸とを平行に設け、かつ複数の平歯車を設けるスペースが必要となり、流路切換装置が大型化するという問題がある。また部品点数が多くなり構造も複雑になるため、製造コストが高くなるという問題がある。
【０００９】
そこで、本発明の目的は、回転表示手段を従来よりも視認性に優れたものとしつつ、水平方向に小型化の可能な流路切換装置を実現することにある。また、さらなる目的は、回転表示手段の視認性に優れながらも、部品点数を抑え、鉛直方向及び水平方向においてより小型化しつつ、製造コストを抑えた流路切換装置及び浄水器を実現することにある。
【課題を解決するための手段】
【００１０】
上記目的を達成するため、本発明に係る流路切換装置の特徴構成は、弁室に１つの流入口と複数の流出口とが設けられ、前記複数の流出口の夫々に、前記弁室内に位置して前記流出口を通流可能な開状態と通流不能な閉状態とに切替自在な弁体が設けられ、
前記複数の弁体のうち１つの前記弁体が前記流出口を開状態とし、他の前記弁体が前記流出口を閉状態とするように、前記各弁体を移動させるためのカム部を前記各弁体の夫々に対応して備えた軸部材からなる移動操作手段と、
筒状に形成され、前記軸部材の回動に応じて回転し、前記移動操作手段により開状態となった前記流出口を示す流出口情報を表示するための回転表示手段と、を備えた流路切換装置であって、
前記回転表示手段の回転軸が、前記軸部材の軸心に対して直交するとともに、
前記回転表示手段が、鉛直方向に見て前記軸部材と一部重複するように配置される点にある。
【００１１】
上記特徴構成によれば、回転表示手段は、回転表示手段の回転軸が軸部材の軸心に対して直交するとともに、鉛直方向に見て軸部材と一部重複する。すなわち、軸部材に対して鉛直方向に存在する空間を有効活用して、回転表示手段と軸部材とをコンパクトにまとめることができる。また、回転表示手段の回転軸が、軸部材の軸心方向とは異なるため、軸部材の径とは独立して、筒状の回転表示手段の径を大きくすることができ、流出口情報を大きく表示することができる。よって、回転表示手段を従来よりも視認性に優れたものとしつつ、水平方向に小型化の可能な流路切換装置を実現できる。
【００１２】
また、別の特徴構成は、前記回転表示手段が、回転軸に沿って前記軸部材から離間するにしたがって径が小さくなる円錐台形状に形成される点にある。
【００１３】
上記特徴構成によれば、回転表示手段を円筒状に形成した場合に比べ、回転表示手段を鉛直方向から見たときの表面積が大きくなる。よって、利用者が鉛直方向から流路切換装置を覗き見た時に、回転表示手段に表示された流出口情報を視認し易い。また、円筒状に形成される場合に比べて、流路切換装置の鉛直方向のサイズを抑えることができる。すなわち、回転表示手段を従来よりも視認性に優れたものとしつつ、鉛直方向及び水平方向においてより小型化の可能な流路切換装置を実現できる。
【００１４】
さらなる特徴構成は、前記軸部材が、前記回転表示手段に対して突出する突起部を備え、
前記回転表示手段が、前記突起部が挿入される溝部を備え、
前記溝部が、前記軸部材の回動に応じて前記突起部と前記溝部との当接位置が変化することで、前記回転表示手段を回転させるように形成される点にある。
【００１５】
上記特徴構成によれば、軸部材が突起部を備え、回転表示手段が溝部を備えることで、軸部材の回動に応じて、回転表示手段が軸部材の軸心に対して直交する軸を中心として回転することとなる。すなわち、回転方向の変換機構として一般的な歯車を用いた場合（例えば、かさ歯車を用いた場合）に対して、部品点数を抑え、鉛直方向及び水平方向においてより小型化しつつ製造コストを抑えた流路切換装置を実現できる。
【００１６】
また、別の特徴構成は、前記回転表示手段が、
前記回転軸方向に見て前記回転軸周りで、大径の円錐台形状を前記回転軸に沿った平面で切った形状の大径部と、前記大径部よりも小径の円錐台形状を前記回転軸に沿った平面で切った形状の小径部と、が組み合わされた本体部を備え、
前記大径部の外周面が前記流出口情報の表示に用いられる点にある。
【００１７】
上記特徴構成によれば、回転表示手段は大径の円錐台形状の一部である大径部と、小径の円錐台形状の一部である小径部と、からなり、大径部が流出口情報の表示に用いられる。よって、大径部では流出口情報を大きく表示しつつ、流出口情報の表示に用いない小径部を小さくすることで、回転表示手段のサイズを小型化することができる。よって、回転表示手段の収納に必要な空間を小さくすることができ、視認性を確保しながら、より小型化した流路切換装置を実現できる。
【００１８】
さらなる特徴構成は、前記軸部材の両端に、コの字型形状の把持部が一体的に回動するように連結され、
前記回転表示手段が、前記把持部の中空部に配置される点にある。
【００１９】
上記特徴構成によれば、把持部をコの字型形状とするとともに、その中空部に回転表示手段を配置する。よって、利用者にとって把持し易い把持部とできるとともに、従来のように回転表示手段を軸部材と同軸に設ける場合に比べると、流路切換装置が大きくなることを抑えることができる。すなわち、利用者の利便性を確保しつつ、より小型化した流路切換装置を実現できる。
【００２０】
請求項１〜５の何れか一項に記載の流路切換装置を備える浄水器としては、前記複数の流出口が、浄化部を通流して浄化された浄水を流出する浄水流出口と、原水を浄化することなく外部へ直流状で流出する原水流出口と、原水を浄化することなくシャワー状で流出するシャワー流出口とに連通接続されていることが好ましい。
【図面の簡単な説明】
【００２１】
【図１】浄水器の側面図
【図２】浄水器の底面図
【図３】浄水器の要部分解斜視図
【図４】浄水器の側面断面図
【図５】浄水器の平面断面図
【図６】流路切換装置を構成する主要部品に関する側面図
【図７】流路切換装置を構成する主要部品に関する平面図
【図８】回転表示手段の本体部を示す正面図
【図９】回転表示手段の本体部を示す背面図
【図１０】流路切換装置の動作を示すための浄水器の側面断面図
【図１１】流路切換装置の動作を示すための浄水器の平面断面図
【図１２】流路切換装置の動作を示す図
【図１３】流路切換装置の動作を示す図
【図１４】流路切換装置の動作を示す図
【発明を実施するための形態】
【００２２】
１．流路切換装置の概略構成
以下では本発明に係る流路切換装置ＣＳを用いた実施形態の一例を、図を用いて説明する。本実施形態においては、図１に示すように、水道の蛇口Ｊに取り付けて、浄化部４００への流路切替を行う浄水器を例として説明する。
【００２３】
図１は、流路切換装置ＣＳを備えた浄水器の側面図を示す。以下では、浄水器の側面図における横方向を「幅方向Ｗ」とし、縦方向を「高さ方向Ｈ」とし、紙面奥行き方向を「奥行き方向Ｄ」とする。本実施形態においては、幅方向Ｗ及び奥行き方向Ｄは水平方向と一致し、高さ方向Ｈが鉛直方向と一致するように浄水器は配置されるものとする。
【００２４】
図１及び図４に示すように、流路切換装置ＣＳは、弁室１に１つの流入口２と複数の流出口３が設けられ、複数の流出口３の夫々に、弁室１内に位置して流出口３を開閉自在な弁体５とが設けられる。図３及び図４に示すように、流入口２は、原水（水道水）が流入する開口であって、弁室１の上部に設けられる。水栓取付リング４１を介して、流入口２は水道水の蛇口Ｊに接続される。
【００２５】
図３に示す押さえ部材４６は、流入口２の下方に設けられ、弁室１内に３つの小弁室を形成し、各小弁室に弾性付勢手段８と弁体５とが備えられる。押さえ部材４６は上部に貫通孔を備え、流入口２から流入した原水を弁室１内に通流可能に構成される。
【００２６】
図３及び図５に示すように、流出口３は、本実施形態において３つ備えられる。具体的には、原水を浄化部４００に通流させて浄水として吐出するための浄水流出口３Ａ、原水を外部へ直流状で吐出するための原水流出口３Ｂ、及び原水をシャワー状にして吐出するためのシャワー流出口３Ｃの３つを備え、流入口２はこれらの流出口３夫々に連通接続される。なお、浄化部４００は、原水を浄化する濾過カートリッジを内蔵した円筒状の部材で、流路切換装置ＣＳの幅方向Ｗの一方側に配置される。浄化部４００は、ケーシング６の側面から挿脱可能に構成された浄化部着脱部材４７を介して、弁室１と通流可能に接続される。浄化部着脱部材４７を備えることで、浄化部４００を弁室１から容易に取り外すことができ、浄化部４００や流路切換装置ＣＳのメンテナンスが行い易くなっている。
【００２７】
図３及び図５に示すように、弁体５として、金属（ＳＵＳ）製のボールが用いられる。弁体５は、流入口２から流入した流体が通流不能なように流出口３を閉めた状態（閉状態）と、流体が通流可能なように流出口３を開いた状態（開状態）と、を切替自在に構成される。弁体５は、各流出口３と対となるように設けられる。弁体５は、弾性付勢手段８であるスプリングによって、通常時、流出口３を閉じる（ノーマルクローズとなる）ように流出口３側に押圧され付勢されている。
【００２８】
各流出口３に連なる出口側流路９内の夫々には、弁体５を押圧して、流出口３を開状態とする弁体押圧位置と、弁体５を押圧せずに流出口３を閉状態とする弁体非押圧位置とに移動自在に保持された押し部材１０が設けられている。具体的には、押し部材１０として、直線状に形成された出口側流路９内に流路方向に沿って移動自在に保持された棒状のプッシュロッドが用いられる。押し部材１０も、弁体５と同様に、各流出口３と対になるように設けられる。すなわち、本実施形態においては、各流出口３に、弁体５及び押し部材１０が１つずつ設けられる。
【００２９】
流路切換装置ＣＳには、弾性付勢手段８による弾性付勢力に抗して複数の弁体５のうち１つの弁体５が対応する出口側流路９を開状態とし、他の（２つの）弁体５が対応する出口側流路９が閉状態となるように、各弁体５を移動させるためのカム部１１Ａを各弁体５の夫々に対応して備えた軸部材１１からなる移動操作手段１００が備えられる。具体的には、移動操作手段１００は、軸部材１１の軸心１１ａ周りでの回転角度によって、カム部１１Ａが複数の押し部材１０のうちのいずれかに択一的に当接し、カム部１１Ａに当接した押し部材１０が弁体押圧位置に移動することで弁体５を開状態とするように構成される。より詳しくは、カム部１１Ａは、軸部材１１の軸心１１ａ周りに、それぞれ位相が異なるように設けられる。なお、軸部材１１は、図３に示すように、固定支持部材４８を介してケーシング６の下面に回転自在に支持される。軸部材１１は、軸心１１ａが水平方向となるように設けられる。
【００３０】
本実施形態において、複数の押し部材１０は、高さ方向Ｈにおいて同じ位置に、水平方向において互いに平行となるように、並列配置される。移動操作手段１００の軸部材１１は、各押し部材１０の軸心に対して水平面上において直交するように、各押し部材１０から離れた位置に配置される。
【００３１】
移動操作手段１００は、利用者が軸部材１１に連結された把持部３００を用いることで軸部材１１を回動操作可能に構成される。
【００３２】
流路切換装置ＣＳは、筒状に形成され、軸部材１１の回動に応じて回転し、移動操作手段１００により弁体５が開状態となった流出口３を示す流出口情報ｉを表示するための回転表示手段２００を備える。より具体的には、回転表示手段２００は、図２〜図７に示すように中空で、一部異径の円錐台状に形成された本体部２１を備える。本体部２１の外周面には、流出口情報ｉとして「浄水」、「原水」、及び「シャワー」の文字が表示される。「浄水」、「原水」、及び「シャワー」の夫々は、流入口２から流入した原水が浄水流出口３Ａ、原水流出口３Ｂ、及びシャワー流出口３Ｃから流出する状態の夫々を示す。これらの文字は、本体部２１に刻印、または文字を印刷したシールが貼られること等により利用者が視認可能な形態で表示される。
【００３３】
本実施形態においては、図４に示すように、回転表示手段２００を収納するケーシング６の高さ方向Ｈの上面に小窓５０が設けられ、当該小窓５０を介して、利用者が高さ方向Ｈ上方から、回転表示手段２００を覗き見ることで、回転表示手段２００の本体部２１に表示された流出口情報ｉを視認可能に構成される。小窓５０はプラスチックなどの透明部材からなる板状部材で、回転表示手段２００の本体部２１の鉛直方向上端Ｔと平行となるように設けられる。小窓５０を介して視認可能な流出口情報ｉは、利用者の把持部３００の操作による軸部材１１の回動に応じて、本体部２１が回転することで切り替わる。
【００３４】
流路切換装置ＣＳは、幅方向Ｗの一方向に設けられた把持部３００を用いて軸部材１１を回動操作すると、回転表示手段２００が軸部材１１の軸心１１ａに対して直交する軸を中心として回転するように構成される。すなわち、軸部材１１の回転方向と、回転表示手段２００の回転方向とが異なるように構成される。
【００３５】
流路切換装置ＣＳは、このような構成において、利用者が回転表示手段２００を鉛直方向上方から見た時の視認性を確保しつつ、流路切換装置ＣＳの部品点数を抑え、鉛直方向及び水平方向におけるサイズの肥大化を抑えている点に特徴を有する。以下では、流路切換装置ＣＳの回転表示手段２００に関する詳細構成について説明する。
【００３６】
２．詳細構成
２−１．軸部材の構成
軸部材１１は、図３〜図５に示すように、押し部材１０を押圧するためのカム部１１Ａを備える。さらに、軸部材１１は、回転表示手段２００に対して突出する突起部１１Ｂを備える。突起部１１Ｂは、軸心１１ａに対して直交する棒状に形成され、軸心１１ａ方向においてカム部１１Ａのいずれとも重複しない位置に設けられる。また、軸部材１１において、カム部１１Ａが押し部材１０側に設けられるのに対して、突起部１１Ｂは押し部材１０とは反対側に突出するように設けられる。
【００３７】
より具体的には、カム部１１Ａは図７に示すように軸部材１１の軸心１１ａ方向にそれぞれ等間隔に離間して設けられるとともに、図６に示すように、軸心１１ａ周りで６０°位相が異なるように設けられる。カム部１１Ａは、それぞれ、軸部材１１の軸心１１ａに対して直交する方向に突出する凸部状に形成される。
【００３８】
また、突起部１１Ｂは、図５に示すように、軸部材１１上で軸心１１ａ方向において、複数のカム部１１Ａとは異なる位置に設けられる。より詳しくは、突起部１１Ｂは、軸心１１ａ方向において回転表示手段２００の本体部２１の回転軸２１ａとも異なる位置に設けられる。また、突起部１１Ｂは、軸心１１ａ周りで、いずれのカム部１１Ａとも位相がことなるように設けられる。
【００３９】
２−２．把持部の構成
図１０及び図１１に示すように、軸部材１１の両端１１ｅには、コの字型形状の把持部３００が備えられる。把持部３００は、図３に示すように、コの字型のレバー３１と中空部３２からなる。レバー３１は、コの字の両端部分に軸部材１１の両端１１ｅに連結するための連結部を備え、軸部材１１の両端１１ｅと連結される。この構成により、図１に示すように、利用者によってレバー３１が高さ方向Ｈで操作された際に、軸部材１１が軸心１１ａ周りで一体的に回動する。
【００４０】
２−３．回転表示手段の構成
回転表示手段２００は、図８及び図９に示すように、中空で、一部異径の円錐台形状に形成された本体部２１と、本体部２１の内面に設けられた溝部２２から構成される。本体部２１は、図６に示すように、回転軸２１ａ方向において軸部材１１から離間するにしたがって径が小さくなる円錐台形状に形成される。このような構成により、本体部２１において流出口情報ｉが表示される面積を大きくし、利用者が流路切換装置ＣＳを高さ方向Ｈ上方から覗き見た際の視認性を確保している。
【００４１】
より詳しくは、回転表示手段２００の本体部２１は、回転軸２１ａ（本体部２１の軸心）方向に見て回転軸２１ａ周りで、大径の円錐台形状を回転軸２１ａに沿った平面で切った形状の大径部２１Ａと、大径部よりも小径の円錐台形状を回転軸２１ａに沿った平面で切った形状の小径部２１Ｂと、が組み合わされてなる。また、大径部２１Ａの径方向外側における外周面が、流出口情報ｉの表示に用いられる。
【００４２】
大径部２１Ａの径方向外側の外周面は、周方向において、表示する複数の流出口情報ｉの数に合わせて流出口情報ｉの表示領域が等分割され、各領域に流出口情報ｉが表示される。本実施形態においては、大径部２１Ａは、周方向１８０°にわたって表示領域が６０°単位で３分割され、各表示領域に流出口情報ｉとして「浄水」、「原水」及び「シャワー」の文字が表示される。
【００４３】
小径部２１Ｂは、その外径ｄ２が、大径部２１Ａの外径ｄ１よりも小さくなるように形成される。このように、大径部２１Ａにおいては、流出口情報ｉを大きく表示するため外径ｄ１を大きくしながら、小径部２１Ｂの外径ｄ２を小さくすることで、回転表示手段２００のサイズを小型化することができ、回転表示手段２００を収納するケーシング６の高さ方向Ｈを抑えることができる。
【００４４】
回転表示手段２００は、図９に示すように、本体部２１の内面に溝部２２を備える。溝部２２は、本体部２１の外周面をなす外壁部２２Ｂと、外壁部２２Ｂから径方向内側に向かって延在する側壁部２２Ａ及び側壁部２２Ｃとから構成される。側壁部２２Ａ及び側壁部２２Ｃは平行に設けられる。回転表示手段２００は、歯車に代えて、対向する２つの壁部（側壁部２２Ａ及び側壁部２２Ｃ）と、軸部材１１の突起部１１Ｂとの摺動によって、回転軸２１ａ周りで回転するように構成される。
【００４５】
溝部２２における側壁部２２Ａと側壁部２２Ｃとの間には、図４及び図１０に示すように、軸部材１１の突起部１１Ｂが挿入される。溝部２２は、軸部材１１の回動に応じて突起部１１Ｂと溝部２２との当接位置が変化することで、回転表示手段２００を回転させるように形成される。
【００４６】
具体的には、本体部２１は軸部材１１に近接する側が開口となり、軸部材１１から離間する側が有底となった中空構造の円錐台形状に形成される。溝部２２は、本体部２１の内面に、図９に示すように、回転軸２１ａ方向に見て径方向内側が開いたコの字型に、本体部２１の内壁面から軸部材１１に向かって突出する形態で形成される。より詳しくは、側壁部２２Ａ及び側壁部２２Ｃに対して軸部材１１の突起部１１Ｂとが摺動することで、本体部２１が周方向に回転する。
【００４７】
図１２〜図１４に示すように、溝部２２は軸部材１１を可動範囲内で回動した際に、少なくとも突起部１１Ｂの先端が溝部２２の内周面に当接し、側壁部２２Ａの外周面及び側壁部２２Ｃの外周面に接触しないように切欠部２３Ａ、２３Ｃを備える。突起部１１Ｂと溝部２２とによる回動動作については後述する。
【００４８】
３．配置
図６及び図７に示すように、回転表示手段２００の回転軸２１ａは、軸部材１１の軸心１１ａに対して直交する。本実施形態においては、図６に示すように、回転表示手段２００は軸部材１１を挟んで押し部材１０と対向するように配置され、図７に示すように、回転表示手段２００の回転軸２１ａは、軸部材１１の軸心１１ａ方向の中心位置に位置するように設けられる。なお、本体部２１は、図４に示すように、高さ方向Ｈや幅方向Ｗ方向の位置が固定されるようにケーシング６の内壁面や軸部材１１に対して当接し、回転軸２１ａを中心として回転するように構成される。
【００４９】
また、回転表示手段２００は、高さ方向Ｈに見て軸部材１１と一部重複するように配置される。より詳しくは、軸部材１１の高さ方向Ｈの上方から見て回転表示手段２００の一部が、軸部材１１と重複する。回転表示手段２００の回転軸２１ａは、図６に示すように、幅方向Ｗ（水平方向）において押し部材１０から離間するに従い高さ方向Ｈ（鉛直方向）上方に位置するように傾斜する。
【００５０】
図１１に示すように、幅方向Ｗでレバー３１と軸部材１１との間には中空部３２が形成される。回転表示手段２００は、把持部３００の中空部３２に配置される。このような構成により、幅方向Ｗにおいて、回転表示手段２００及び把持部３００が占める領域が大きくなることを抑えている。
【００５１】
軸部材１１は、幅方向Ｗ（水平方向）周りで回動可能に構成される。軸部材１１のカム部１１Ａが、回転表示手段２００と物理的に干渉することを避け、回転表示手段２００の設計を比較的容易にするため、軸部材１１の回転角は、幅方向Ｗ（水平方向）に対して±７０〜８０°くらいに留めることが望ましい。本実施形態においては、さらに、把持部３００の可動範囲が、高さ方向Ｈ（鉛直方向）最大の高さとなる状態において、鉛直方向視で、回転表示手段２００の鉛直方向上面と被らないように設定している。具体的には、幅方向Ｗ（水平方向）に対して±６０°の範囲、計１２０°の範囲で回動可能としている。このような構成により、把持部３００の位置によらず、視認性に優れた浄水器を実現することができる。
【００５２】
なお、本実施形態においては、回転表示手段２００の本体部２１は、軸部材１１の１２０°の回動に連動して、回転軸２１ａの周方向に１８０°回転するように構成される。すなわち、軸部材１１の回転角に対して、本体部２１が１．５倍の回転をするように構成される。
【００５３】
４．動作説明
図１２〜図１４を用いて、利用者が把持部３００を操作して、軸部材１１を回動させたときの回転表示手段２００の回転動作について説明する。図１２は、把持部３００を、可動範囲内において高さ方向Ｈで最高となる位置まで操作した場合を、図１３は、可動範囲内において高さ方向Ｈで中間となる位置に操作した場合を、図１４は、把持部３００を高さ方向Ｈで最低となる位置まで操作した場合を示す。
【００５４】
図１２（ａ）及び（ｂ）に示すように、高さ方向Ｈで最高の位置（水平方向に対して＋６０°回転した位置）において、切欠部２３Ｃによって、突起部１１Ｂは側壁部２２Ｃと接触することなく、突起部１１Ｂの先端が外壁部２２Ｂに当接する。
【００５５】
軸部材１１の回転角を水平方向に近づけて行くと、突起部１１Ｂの位置は、溝部２２において径方向内側に移動し、図１３（ａ）及び（ｂ）に示すように、突起部１１Ｂの先端が側壁部２２Ａに接触する。
【００５６】
さらに、軸部材１１の回転角を水平方向から下げて行くと、図１４（ａ）及び（ｂ）に示すように、高さ方向Ｈで最低の位置（水平方向に対して−６０°回転した位置）において、切欠部２３Ａによって、突起部１１Ｂは側壁部２２Ａと接触することなく、突起部１１Ｂの先端が外壁部２２Ｂに当接する。
【００５７】
以上のようにして、軸部材１１に突起部１１Ｂを設け、回転表示手段２００には溝部２２を設けるという少ない部品点数で、軸部材１１の回転方向を、回転表示手段２００の回転方向に変換し、回転表示手段２００を回転させることができる。また、回転表示手段２００の視認性に優れながらも、部品点数を抑え、鉛直方向及び水平方向においてより小型化しつつ、製造コストを抑えた流路切換装置ＣＳを実現することができる。
【００５８】
〔別実施形態〕
（１）上記実施形態においては、軸部材１１のカム部１１Ａが押し部材１０を押圧し、１０によって間接的に弁体５が押圧され移動される場合の一例を示したが、カム部１１Ａが押し部材１０を介さず、軸部材１１が直接弁体５を押圧し移動する構成としても構わない。
【００５９】
（２）上記実施形態においては、回転表示手段２００が円錐台形状に形成される場合の一例を示したが、回転表示手段２００は回転体であればよく、例えば、円筒形状に形成されても構わない。
【００６０】
（３）上記実施形態においては、軸部材１１が突起部１１Ｂを備え、回転表示手段２００が溝部２２を備え、突起部１１Ｂと溝部２２との当接により回転表示手段２００が回転する場合の一例を示したが、例えば軸部材１１と回転表示手段２００との間に、回転方向の変換機構として一般的な歯車（例えば、かさ歯車）を用いても構わない。
【００６１】
（４）上記実施形態においては、回転表示手段２００の本体部２１の大径部２１Ａと小径部２１Ｂとの外径が異なる場合の一例を示したが、大径部２１Ａと小径部２１Ｂとの外径を同一としても構わない。
【００６２】
（５）上記実施形態においては、把持部３００が、コの字型に形成され、軸部材１１の両端１１ｅに連結される両端把持型のレバー３１を備える場合の一例を示したが、把持部３００のレバー３１は、このような形状に限定されず、軸部材１１の一端に連結される片側把持型としても構わない。
【産業上の利用可能性】
【００６３】
本発明の回転表示手段を従来よりも視認性に優れたものとしつつ、水平方向に小型化の可能な流路切換装置を実現することにある。また、さらなる目的は、回転表示手段の視認性に優れながらも、部品点数を抑え、鉛直方向及び水平方向においてより小型化しつつ、製造コストを抑えた流路切換装置及び浄水器として、有効に利用可能である。
【符号の説明】
【００６４】
１        ：弁室
２        ：流入口
３        ：流出口
５        ：弁体
１１      ：軸部材
１１Ａ    ：カム部
１１Ｂ    ：突起部
１１ａ    ：軸心
１１ｅ    ：両端
２１Ａ    ：大径部
２１Ｂ    ：小径部
２１ａ    ：回転軸
２２      ：溝部
３２      ：中空部
１００    ：移動操作手段
２００    ：回転表示手段
３００    ：把持部
ＣＳ      ：流路切換装置
Ｄ        ：奥行き方向（水平方向）
Ｈ        ：高さ方向（鉛直方向）
Ｗ        ：幅方向（水平方向）
ｄ１      ：大径部の外径
ｄ２      ：小径部の外径
ｉ        ：流出口情報
【図１】
0006479529.tif 000002
【図２】
0006479529.tif 000003
【図３】
0006479529.tif 000004
【図４】
0006479529.tif 000005
【図５】
0006479529.tif 000006
【図６】
0006479529.tif 000007
【図７】
0006479529.tif 000008
【図８】
0006479529.tif 000009
【図９】
0006479529.tif 000010
【図１０】
0006479529.tif 000011
【図１１】
0006479529.tif 000012
【図１２】
0006479529.tif 000013
【図１３】
0006479529.tif 000014
【図１４】
0006479529.tif 000015